(57)【特許請求の範囲】
【請求項１】
被検者のベッドに設置したエアマットと、前記エアマットに設けられ、前記被検者の生体データを検出する生体情報検出手段と、前記被検者に装着された温度測定部を有するＩＣタグと、前記ＩＣタグの情報を読取る読取り部と、内部に氷及び／または水，凍結型冷媒を収納し、前記被検者頭部を冷却し、その外表面に温度測定部を有するＩＣタグを備えた氷枕とを備え、前記生体情報と前記ＩＣタグの温度情報に基づき前記被検者の状態を監視する監視システムであって、
前記被検者に装着された前記ＩＣタグ及び前記氷枕に装着された前記ＩＣタグは、コンピュータで読取り可能な記憶媒体であるＲＡＭ、ＥＥＰＲＯＭ、温度変化に対してほぼリニアにアナログ出力し、小型化・ＩＣタグとの一体化が可能で、３５〜４２℃の間で温度分解能が０．０５℃である半導体型の温度センサを備え、
前記被検者に装着された前記ＩＣタグは、体温情報を得るために、伸縮部材を備えた胴開口部、脚開口部を備えたオムツに設けられ、
１３．５６ＭＨｚの電磁波により前記ＩＣタグ読み取り部から、前記氷枕の温度情報と前記被検者の体温情報を取得し、表示部に表示するようにし、前記氷枕の外表面の温度は、閾値である上限値３６．５℃と比較され、
前記被検者の体温は、閾値である上限値を３７．０℃、閾値である下限値を３５．５℃とし、異常と判断されるとアラームを発生するようにすることを特徴とする監視システム。
【発明の詳細な説明】
【技術分野】
【０００１】
本発明は、高齢者、加療中の患者、乳幼児などの被検者の就寝または横臥・仰臥等における心拍数、呼吸数、体動の大きさ、体温等の生体データに基づく被検者の状態と、氷枕の温度情報を併せて監視する監視システムに関する。
【背景技術】
【０００２】
近年、高齢者の人口が増大する傾向にあり、いわゆる高齢化社会に変わりつつある。このため、高齢者に対しての介護負担が増大し、特に在宅介護の場合には常に気を配る必要があり、家族が夜間介護する場合の労力は計り知れないものがある。その結果、介護する人に過大な負担を強いることとなり、大きな社会問題となっている。
【０００３】
また、病院、介護施設等においては、就寝や横臥・仰臥中に看護婦、看護士が常時、患者または被介護者（被検者）に付き添う訳にもいかず、定期的な回診、または異常時の通報で患者の健康状態を把握することで対処しているのが現状である。
【０００４】
近年、介護施設などで高齢者がインフルエンザ等の急激な発熱などがあってもその情報が遅れて重篤となる場合がある。また、核家族化が進み、乳幼児等が発熱などの起こすと母親一人が夜通し看病し、体温測定や氷枕の都度交換を行なう必要がある。また、自宅などで乳幼児がインフルエンザ等の急激な発熱などがあってもその情報が遅れて重篤となる場合がある。
【０００５】
こうした状況下、被介護者に身体的及び精神的負担を与えずに、被介護者の健康状態を無侵襲、すなわち無拘束でかつ継続的に把握する方法として、被介護者（被検者）の身体の下にエアマットを敷いて、そのエアマットに加わる圧力変化に基づき被検者の心拍数、呼吸数、イビキ回数、寝返り回数等を測定する技術が提案されている（特許文献１）。また、在宅で居ながらにして血圧、脈拍、体温等の情報を日毎にチェックし、トレンド表示するホームドックシステムも提案されている（特許文献２）。
【０００６】
しかしながら、血圧、脈拍、体温等のデータを測定の都度いちいち手動で入力し、送信する必要がある。しかしながら、被検者（高齢者、加療中の患者、乳幼児）や被介護者に身体的及び精神的負担を与えずに、生体の体温データを監視するシステムは未だ提案されていない。
【特許文献１】特開２００２−５２０１０号公報
【特許文献２】特開２００３−５６２４７号公報
【０００７】
しかしながら、罹患している患者、特に高齢者や乳幼児にあっては特に夜間にインフルエンザ等の感染症による急な発熱があっても気づくのが遅れ、手遅れになる場合がある。
【発明の開示】
【発明が解決しようとする課題】
【０００８】
本発明の目的は、特に就寝または安静中（横臥・仰臥中等）の被検者の生体データを利用した身体状態把握の信頼性を高めて、夜間でも被検者や被介護者の正確な状態把握が行え、適切な時期に氷枕が交換できる監視システムを提供することにある。
【課題を解決するための手段】
【０００９】
上記課題を解決するために、本発明の監視システムは、被検者のベッドに設置したエアマットと、エアマットに設けられた生体情報検出手段と、被検者に装着された温度測定部を有するＩＣタグと、ＩＣタグの情報を読取る読取り部と、内部に氷及び／または水，凍結型冷媒を収納し、被検者頭部を冷却し、その外表面に温度測定部を有するＩＣタグを備えた氷枕とを備え、生体データとＩＣタグの温度情報に基づき被検者の状態を監視することを特徴とする。また、本発明の監視システムは、被検者のベッドに設置したエアマットと、エアマットの内部圧力変化を検出する圧力検出手段と、圧力検出手段で検出したエアマットの内部圧力変化を基づき被検者の生体データを測定する手段と、被検者に装着された温度測定部を有するＩＣタグと、内部に氷及び／または水，凍結型冷媒を収納し、被検者頭部を冷却し、その外表面に温度測定部を有するＩＣタグを備えた氷枕と、ＩＣタグの情報を読取る読取り部とを備え、生体データと前記ＩＣタグの温度情報に基づき被検者の状態を監視することを特徴とする。また、本発明の監視システムは、被検者のベッドに設置したエアマットと、エアマットの内部圧力変化を検出する圧力検出手段と、圧力検出手段で検出したエアマットの内部圧力変化を基づき被検者の生体データを測定する手段と、被検者に装着された温度測定部を有するＩＣタグと、内部に氷及び／または水，凍結型冷媒を収納し、前記被検者頭部を冷却し、その外表面に温度測定部を有するＩＣタグを備えた氷枕と、ＩＣタグの情報を読取る読取り部とを備え、生体データと前記ＩＣタグの温度情報を予め設定されたデータと比較して前記被検者の状態を監視することを特徴とする。また、本発明の監視システムの工程のプログラムを記憶したコンピュータで読取り可能な記憶媒体は、被検者のベッドに設置されたエアマットの内部圧力変化を圧力検出手段で検出する圧力検出工程のプログラムと、圧力検出手段で検出したエアマットの内部圧力変化を基づき被検者の生体データを測定手段により測定する工程のプログラムと、被検者に装着された温度測定部を有するＩＣタグの温度情報と内部に氷及び／または水，凍結型冷媒を収納し、被検者頭部を冷却し、その外表面に温度測定部を有するＩＣタグの温度情報とを読取る工程のプログラムと、所定時間の生体データ及びＩＣタグの温度情報と予め設定されたデータと比較して被検者の状態を監視する工程のプログラムを記憶したことを特徴とする。
【発明の効果】
【００１０】
上記した課題を解決するために、被検者のベッドに設置したエアマットと、前記エアマットに設けられ、前記被検者の生体データを検出する生体情報検出手段と、前記被検者に装着された温度測定部を有するＩＣタグと、前記ＩＣタグの情報を読取る読取り部と、内部に氷及び／または水，凍結型冷媒を収納し、前記被検者頭部を冷却し、その外表面に温度測定部を有するＩＣタグを備えた氷枕とを備え、前記生体情報と前記ＩＣタグの温度情報に基づき前記被検者の状態を監視する監視システムであって、前記被検者に装着された前記ＩＣタグ及び前記氷枕に装着された前記ＩＣタグは、コンピュータで読取り可能な記憶媒体であるＲＡＭ、ＥＥＰＲＯＭ、温度変化に対してほぼリニアにアナログ出力し、小型化・ＩＣタグとの一体化が可能で、３５〜４２℃の間で温度分解能が０．０５℃である半導体型の温度センサを備え、前記被検者に装着された前記ＩＣタグは、体温情報を得るために、伸縮部材を備えた胴開口部、脚開口部を備えたオムツに設けられ、１３．５６ＭＨｚの電磁波により前記ＩＣタグ読み取り部から、前記氷枕の温度情報と前記被検者の体温情報を取得し、表示部に表示するようにし、前記氷枕の外表面の温度は、閾値である上限値３６．５℃と比較され、前記被検者の体温は、閾値である上限値を３７．０℃、閾値である下限値を３５．５℃とし、異常と判断されるとアラームを発生するようにすることを特徴とする。
【発明を実施するための最良の形態】
【００１１】
図１は、本発明の一実施例を示し、自宅等に設置したエアマットと氷枕と被検者Ｐ（乳幼児）及び携帯端末によるシステムを示している。被検者Ｐは、病院，介護施設，老人ホーム等でも同様である。図２は、端末装置のブロック図、図３は、温度測定部を有するＩＣタグ（ＲＦＩＤ）のブロック図、図４は、生体情報／温度取得情報処理フローを示すフローチャート、図５は、表示部に表示される体温／温度のトレンドグラフである。図６は、氷枕の詳細を示す平面図である。
【００１２】
図１において、病院、介護施設，自宅等の部屋において、被検者Ｐが生体データ測定用専用エアマット２をベッドや床の上に設置し、被検者（乳児）Ｐが氷枕１２０を頭部の下に置いて仰臥している状態である。エアチューブ４を経てパソコンなどの機能を有する端末装置（不図示）とデータ測定用専用エアマット２とを接続し、データ測定用専用エアマット２の圧力変化を端末装置に伝達できるようにしている。
【００１３】
＜監視システムの具体的構成＞
被検者Ｐは、生体データ測定用専用エアマット２の上でオムツ（パンツ）２００をはいている。オムツ２００は、伸縮部材を備えた胴開口部２０１、伸縮部材を備えた脚開口部２０２、吸収部材（不図示）からなり、温度測定部を有するＩＣタグ１００をその内側に、吸収部材から離れた位置の適所に備える。オムツ２００は、パンツ状に限らず、他の形状でもよい。また、オムツを布製にし、リユース可能にしてオムツカバーを用い、尿などで濡れない内側の適所に設けてもよい。温度測定部を有するＩＣタグ１００ａは、面ファスナー等を備える囲包部材で囲包し、着脱自在にしてもよい。氷枕１２０の外面には温度測定部を有するＩＣタグ１００ｂが設けられている。
【００１４】
端末装置５には、圧力変化を検出する圧力センサと、その検出信号を処理して管理サイト／医療サイト（不図示）へＬＡＮ等専用回線またはインターネット等の情報通信ネットワーク（不図示）を介して伝送する制御監視装置が設けられている。
【００１５】
なお、温度測定部を有するＩＣタグ１００ａは、耳内挿入式にしたり、体表面の任意箇所に貼付可能にして複数の箇所の体温情報を取得するようにしてもよい。なお、この場合には、同時に体温情報の読取り可能になる、アンチコリージョン型のＩＣタグを用いる。  
【００１６】
管理サイト／医療サイトにはサーバー（データ処理装置）を設置し、被検者ＰのＩＤと関連付けして、生体データの測定データの収集、集計、データ分析等を行うようにしてもよい。
【００１７】
図２において、４０は、ＲＯＭ４２，ＲＡＭ４３などに記憶されたコンピュータ読み取り可能なプログラム、所定の条件などに基づいて所定の処理フローを実行する制御部（ＣＰＵ）である。３６は表示部、４４は、検出された体温，心拍，呼吸などの生体データを記憶する記憶部である。２０は、微差圧センサ、２１は、絶対圧力センサで、エアマット２の内部圧力をエアチューブ４を介して微差圧センサ２０と絶対圧力センサ２１に入力される。被検者Ｐの身体に起因する振動がエアマット２に伝達されるので、エアマット２の内部圧力が変化する。微差圧センサ２０は圧力変動分を検出し、また、絶対圧力センサ２１はエアマット２の内部圧力の絶対圧力を検出する。絶対圧力センサ２１は被検者Ｐがエアマット２上にいるかを検出するために設けられている。
【００１８】
微差圧センサ２０としては、例えば、圧力の変化を受ける受圧面と対抗電極との間の静電容量変化を検知して差圧を検出するコンデンサマイクロフォン型差圧計が用いられる。コンデンサマイクロフォン型差圧計はエアマット２内部の微小な圧力変動を検出できる。
【００１９】
微差圧センサ２０の検出信号は監視制御装置３０を構成するゲイン制御部３１に与えられる。ゲイン制御部３１は微差圧センサ２０の検出信号のレベルを所定範囲の信号レベルに調整する。被検者Ｐの姿勢によってエアマット２に伝わる心拍や呼吸などの振動の強さが異なるために、微差圧センサ２０の出力信号の強度（レベル）が異なる。ゲイン制御部３１は姿勢によって異なる信号レベルを所定レベルの信号になるようにゲインを調整し、心拍フィルタ３２、呼吸フィルタ３３に出力する。また、ゲイン制御部３１のゲイン値が姿勢判別部３６に加えられる。ゲイン制御部３１によって所定レベルに変換された微差圧センサ２０の出力信号を心拍フィルタ３２、呼吸フィルタ３３に加えることにより、これら心拍フィルタ３２、呼吸フィルタ３３から心拍信号、呼吸信号などの被検者Ｐの生体データが得られる。心拍フィルタ３２、呼吸フィルタ３３から得られた被検者              Ｐの生体データはＡ／Ｄ変換部３５でデジィタル信号に変換されデータ処理部３７に入力される。また、被検者Ｐに装着されたオムツ２００の内側に装着された温度センサ付きＩＣタグ１００ａ（図１参照）から、温度情報をＩＣタグ読取り部３４で間歇的（例えば５〜３０分ごと）に読み取る。ＩＣタグ読取り部３４から１３．５６ＭＨｚの電磁波を送信し、その信号をアンテナを介して温度センサ付きＩＣタグ１００ａ，１００ｂが受け、温度センサ１０６による温度(体温)情報(本実施例では、被検者Ｐの腹部付近の体温情報)を温度センサ付きＩＣタグ１００ａ，１００ｂから読取る。ＩＣタグ１００ａ，１００ｂは、アンチコリュージョン型を使用することにより、同時に温度情報を識別して読取れる。るデータ処理部３７は入力した生体データの各種の演算処理を行い、被験者Ｐの状態を監視する。生体データの各種の演算処理には、被検者Ｐの平常時の生体データとのパターン比較などが含まれる。データ処理部３７は絶対圧力センサ２１がエアマット２上に被験者Ｐがいることを検出しているときに演算処理を実行する。
【００２０】
また、ゲイン制御部３１のゲイン値が姿勢判別部３６に加えられる。エアマット２の内部圧力を検出する微差圧センサ２０の検出信号のレベルは被検者Ｐの横臥している姿勢によって異なるためゲイン制御部３１でゲイン調整する。
【００２１】
＜氷枕の構成＞
氷枕１２０の構成について図６に基づいて説明する。氷枕１２０は、図６に示すように、ラテックス，合成ゴム，弾性を有する合成樹脂などからなる０〜４０℃の範囲で柔軟性を有する本体１２１、把持部１２２、クランプ１２３、本体１２１の外表面に設けられたＩＣタグ（ＲＦＩＤ）１００からなり、その内部に氷，水を入れて使用（図２（ａ））したり、この氷枕１２０をカバー１２５で覆い、面ファスナー１２４等で係止する（図２（ｂ））タイプのもの、あるいは、凍結型冷媒（凍結型冷却部材：不図示）が予め充填され、ＩＣタグ１００を備えた氷枕１２０（図２（ｃ））や、この氷枕１２０をカバー１２５で覆い、面ファスナー１２４等で係止する（図２（ｄ））タイプのものを使用する。氷枕は、ライックス製の収納容器に氷と冷水を入れて利用するタイプものと、凍結型冷媒が予め収納されたタイプのものがある。凍結型冷媒が予め収納されたタイプの場合、凍結型冷媒を常温で液体又は液状で、且つ−１５℃〜０℃の範囲に融点を有する溶液又は液状体である。冷凍庫で凍結状態になった凍結型冷媒の解凍時の融解潜熱を氷枕の保冷，蓄冷機能に利用する。保冷，蓄冷には水及び氷の顕熱も利用されるが、氷の融解潜熱（約８０ｃａｌ／ｇ）を利用するかしないかの差は極めて大きい。具体的な凍結型冷媒としては、水に例えば植物系多糖類，カルボキシメチルセルロースナトリウム，合成ケイ酸ナトリウム・マグネシウム，ポリアクリル酸ナトリウム等の増粘剤や、吸水性樹脂等が適宜加えられたゾル状又はゲル状の透明の液状体である。本実施形態の凍結型冷媒は透明の液状体とする。過冷却解除剤は凍結型冷媒の過冷却現象を改善するために凍結型冷媒に微量配合される。過冷却解除剤としては例えばヨウ化銀等の氷核形成物質の微粉末がある。本体１２１を冷凍庫で冷やす際、これらの微粉末が氷核となって、凍結型冷媒の過冷却温度を抑制する。また、好ましくは、少量の気体を代え、さらに、０．５ｍｍΦ〜５ｍｍΦ程度の発泡スチロール粒子を充填することでよりクッション性，フィット性を高める。そして、気体，発泡スチロール粒子が一定の熱遮断効果を発揮し、頭部が氷枕に接する箇所の温度を和らげる。凍結型冷媒を収納する氷枕１２０が柔軟性素材が柔軟性を有するためには、冷媒の凍結温度においても柔軟性素材が塑性変形または弾性変形することが必要である。まず、柔軟性素材が塑性変形するためには、柔軟性素材がミクロブラウン運動できる条件になければならず、従って柔軟性素材の環境温度がその材料のガラス転位点以上に設定される必要がある。患部冷却用素材は冷蔵庫の冷凍室で凍結され、しかも冷凍室の温度は０℃〜−１０℃であるから、冷媒の凍結温度はこの冷凍室の温度よりも高く設定されることになる。従って、本発明の柔軟性素材のガラス転位点が−１０℃よりも低く設定されれば、冷媒 の凍結温度では柔軟性素材は塑性変形することが可能である。つまり、ガラス転位点が−１０℃よりも低い柔軟性素材から柔軟性容器４を形成することによって、柔軟性素材の塑性的柔軟性が保証される。ガラス転位点が−１０℃よりも低いプラスチックには、例えばポリエチレン、アセチル樹脂、塩化ビニリデン、ポリプロピレンなどがある。また、ガラス転位点が−���０℃よりも低いゴムには、ポリイソプレン、ｃｉｓ−-ポリイソブタジエン、ポリフェニレンエーテル、ポリイソプレン、天然ゴム、クロロプレン、trans-ポリブタジエンなどがある。また、上記以外に、各種の単量体を交互共重合、ブロック共重合、グラフト共重合させることによってガラス転位点をー１０℃以下に設定された規則的共重合体も含まれる。
【００２２】
＜ＩＣタグの構成＞
図３は、ＩＣタグ（ＲＦＩＤ）１００ａ，１００ｂの構成を示すものである。オムツ２００に装着されたＩＣタグ１０１ａ，氷枕１２０に設けられたＩＣタグ１００ｂは同様の構成である。図６に示す氷枕１２０のカバー（不図示）に図３と同様のＩＣタグを設けて氷枕１２０の温度管理をしてもよい。ＩＣタグ読み取り部３４からの信号を受け、ロジック部１１０を所定のフローで動作させるプログラムが記憶され、コンピュータで読取り可能な記憶媒体であるＲＡＭである。１０２はＥＥＰＲＯＭで、温度センサ１０６のそれぞれに対応するオフセット値，温度補正値などが記憶されている。また、体温情報も記憶可能である。なお、ロジック部１１０は、より複雑な処理フローの制御が可能なＣＰＵとしてもよい。温度センサ１０６としては、温度変化に対してほぼリニアにアナログ出力し、小型化・ＩＣタグとの一体化が可能で、３５〜４２℃の間で温度分解能が０．０５℃である、半導体型の温度センサ、例えばＣ−ＭＯＳ温度センサが好ましく用いられるが、サーミスタ型、サーモパイル（熱電対）型でも可能である。１０３は、被検者Ｐに設けられた温度測定部を有するＩＣタグ（ＲＦＩＤ）１００の体温情報を取得するための送受信回路、１０３ａはアンテナ、１０４は電源部である。この電源部１０４は、コイルを有するアンテナ部１０３ａを介して、体温情報を読取られる時に温度測定部を有するＩＣタグ１００ａ，１００ｂの各部に電源を供給する。１０７はＡ／Ｄ変換部であり、温度センサ１０６と発振回路（不図示）で発生した体温信号をＡ／Ｄ変換するものである。ＩＣタグ１００ａ，１００ｂは、アンテナ１０３ａを含めて５ｍｍ×５ｍｍ、厚さ１．５ｍｍ程度の大きさである。なお、ＩＣタグ１００ａ，１００ｂは、生体を通過可能な周波数の電磁波での通信（送受信）可能なものであれば、どのような周波数でもよいが、好ましくは１３．５６ＭＨｚの電磁波で送信可能になっている。体温情報もＥＥＰＲＯＭ１０２に記憶できるので、別のマットに被検者Ｐを移し換えても継続して体温情報を記憶できる。また、間違った被検者Ｐの情報を取得しないようにしたり、アンテナ１０３ａから出力される信号を暗号化処理可能にしてセキュリティ機能を持たせることができる。
【００２３】
データ処理部３７において、演算された心拍数、呼吸数、体動の大きさ、体温等を演算処理した結果は記憶部４４に被検者ＰのＩＤと対応して記憶部４４に記憶されるとともに表示装置３６に表示される。同時に管理サイト／医療サイトに伝送可能となっている。このようにして被検者Ｐの状態の監視が行われる。
【００２４】
生体データは、差圧センサ（相対圧センサ）２０と絶対圧力センサ２１で捉えた信号の特徴により、心拍数、呼吸数等を識別化する。例えば、心拍数と呼吸数は、フィルタ３２、３３を通して正常範囲の周波数に分離する。Ａ／Ｄ変換部３５によりディジタル信号に変換後にデータ処理部３７において高速フーリエ変換を施してピークスペクトルとなる基本周波数を求め、それぞれを抽出する。
【００２５】
＜生体情報／氷枕の温度取得の処理フロー＞
エアマット２上に被検者Ｐがいる（横臥，仰臥状態）ことを条件に測定を開始する。１０〜６０分毎に、差圧センサ（相対圧センサ）２０と絶対圧力センサ２１で圧力信号を取得（検出）する(ステップＳ１)。取得した圧力信号の特徴により、心拍数、呼吸数等を識別化し、心拍数、呼吸数等を演算する（ステップＳ２）。１回の圧検出時間は、２〜５分程度である。また、体温情報は、１０〜６０分毎に、被検者Ｐに装着されたＩＣタグ１００ａにＩＣタグ読取り部３４から１３．５６ＭＨｚまたは８６０〜９６０ＭＨｚ（ＵＨＦ帯）の電磁波を送信（送受信距離は、１０ｃｍ〜１ｍ程度）し、その信号と同期して得られる温度センサ１０６の体温情報を読取る。また、氷枕１２０の外表面の温度情報も、１０〜２０分毎にＩＣタグ１００にＩＣタグ読取り部３４から１３．５６ＭＨｚまたは８６０〜９６０ＭＨｚ（ＵＨＦ帯）の電磁波を送信（送受信距離は、１０ｃｍ〜１ｍ程度）し、その信号と同期して得られる温度センサ１０６の体温情報を読取る（ステップＳ３）。これらの生体情報と氷枕の温度情報は、記憶部４４に記憶される(ステップＳ４)。この生体情報と氷枕の温度は閾値と比較される。例えば、体温の場合、上限値が３７．０℃、下限値が３５．５℃としている。また、心拍は、例えば、上限値が１２０拍／分、下限値が３０拍／分、呼吸数は、例えば、上限値が９０／分、下限値が１０／分としている。また、氷枕１２０の外表面の温度は、例えば、上限値を３６．５℃としている。これらの生体情報のうち少なくとも１つの情報が異常と判断されると、アラームを発生させ（ステップＳ６）、管理サイト／医療サイトの担当医に報知するようにしている。なお、担当医の携帯電話などに報知するようにしてもよい。異常と判断された被検者Ｐの容体を確認後、必要に応じてリセット（ステップＳ７）する。必要がなければ、監視（測定）を終了する。異常がない場合は、必要に応じてステップＳ１に戻り、測定終了の指示入力があるまで生体情報の測定を繰り返す。測定され、記憶部４４に記憶される生体情報は、平均値、最大値、最小値、最多値を求めて、被検者ＰのＩＤとともにそれらのデータも記憶部４４、サーバー（不図示）に記憶する。記憶部４４に記憶された、心拍数、呼吸数、体温等の生体情報は、図５に示すように表示部３６や表示部１１にトレンド表示される。表示部３６，表示部１１では、心拍数、呼吸数、体温を同時に１時間（６０分）毎にトレンド表示しているが、このうち１つまたは任意の組合せで表示可能にしてもよい。また、解熱剤などの投薬データをメモ情報として、日時とともに入力部４５で入力しておくことで、表示部３６，表示部１１の生体情報のトレンド表示と併せて表示可能となる。管理サイト／医療サイトの表示部（不図示）でも同様の表示ができるようになっている。アラームを発生する判断の他の条件として、体温値が１つの閾値、例えば、３７．０℃を越え、体温変化率（℃／分）が所定の値を超えた場合、例えば１℃／６０分を越えた場合にアラームを発生させることもできる。この場合、体温値が１つの閾値、例えば、３７．０℃を越えると、測定間隔を当初の所定間隔よりも短くなるように制御する。
【００２６】
なお、圧力検出に基づく解析時間（所定時間）は２〜５分間でなく、任意の時間に設定できる。解析時間は１就寝分のデータ解析に都合のよい時間でよく、また、１就寝分でなく、所定の就寝時間内を設定することもできる。システムの規模、解析速度等により最適な条件とする。
【００２７】
データ処理部３７は、例えば、被検者Ｐの健康状態を次のような判断基準に基づき判定する。
【００２８】
次に就寝中の異常監視と緊急通報について説明する。端末装置５のデータ処理部３７は、所定時間（２〜５分間）分の生体データを解析して心拍数、呼吸数等を算出し、また、ＩＣタグからの温度情報から、これらが異常といえる既定値の範囲を越えた場合に体温値異常、心拍数異常、呼吸数異常として表示装置へ表示するとともに、緊急通報として管理パソコンに通報する。データ処理部３７は心拍数異常、呼吸数異常として表示装置へ表示すると共にブザーを鳴動させるようにする。データ処理部は、体動に関しては一定時間以上続くと発作と認識して同様に表示とブザー応答を行い、情報通信ネットワークを介して管理サイト／医療サイトの管理パソコンへ通報する。これを受けて管理サイト／医療サイトの医師などの医療従事者が対処方法を情報通信ネットワークや電話、ＦＡＸなどでフィードバックする。
【００２９】
端末装置５のほかに携帯端末５０により、上記生体情報／氷枕の温度情報を取得し、表示するようにすれば介護者の負担が軽減できる。図１において、携帯端末５０は、端末５と同様に、表示部１１、入力部１４、端末装置５やインターネット等の情報通信ネットワークと通信可能な外部通信部１２、記憶部１５、コンピュータ読み取り可能なプログラム、所定の条件などが記憶されたＲＯＭ１６，ＲＡＭ１７、システム全体を処理する制御部（ＣＰＵ）１０を備える。被検者Ｐの体温情報をＩＣタグ１００ａから直接読取ったり、氷枕１２０の温度情報をＩＣタグ１００ｂから直接読取るためにＩＣタグ読み取り部１３を設けたり、光，バイブレーター等の報知手段を備えた報知部１９を備えておけば、介護（看護）者の負担が軽減できる。また、ＩＣタグ読取り部３４をマット２の適所に設け、信号線（好ましくはエアチューブ４と一体化）を介してＩＣタグ１００で得た体温情報を得るようにしてもよい。
【図面の簡単な説明】
【００３０】
【図１】本発明の一実施例を示す図である。
【図２】本発明の実施例に係るブロック図である。
【図３】本発明の実施例に係る温度測定部を有するＩＣタグのブロック図である。
【図４】本発明の実施例に係る生体情報の取得処理フローを示す図である。
【図５】本発明の実施例に係る表示例を示す図である。
【図６】本発明の実施例に係る氷枕の詳細を示す平面図である。
【符号の説明】
【００３１】
２・・・エアマット、４・・・エアチューブ、５・・・端末装置、Ｐ・・・被験者、５０・・・携帯端末、１００ａ，１００ｂ・・・ＩＣタグ、１０１・・・ＲＡＭ、１０２・・・ＥＥＰＲＯＭ、１０３・・・送信受信回路、１０３ａ・・・アンテナ、１０６・・・温度センサ、１２０・・・氷枕、２００・・・オムツ
【図１】
0004786308.tif 000002
【図２】
0004786308.tif 000003
【図３】
0004786308.tif 000004
【図４】
0004786308.tif 000005
【図５】
0004786308.tif 000006
【図６】
0004786308.tif 000007